(57)【特許請求の範囲】
【請求項１】
受信回路が形成された配線基板に、電波を受けて受信信号を受信回路に出力する、信号側およびグランド側のエレメントにて構成されるダイポール型のアンテナと、受信回路への電源供給用またはグランド用のワイヤハーネスとが接続された電波受信機において、
前記アンテナを、信号側のエレメントが配線基板から伸出する方向が、電源供給用またはグランド用のワイヤハーネスが配線基板から伸出する方向と逆方向となり、電源供給用またはグランド用のワイヤハーネスに流れる高周波電流が、受信信号を増大する方向に作用するように配置したことを特徴とする電波受信機。
【請求項２】
受信回路が形成された配線基板に、電波を受けて受信信号を受信回路に出力する、信号側およびグランド側のエレメントにて構成されるダイポール型のアンテナと、受信回路への電源供給用またはグランド用のワイヤハーネスとが接続された電波受信機において、
前記アンテナを、グランド側のエレメントが配線基板から伸出する方向が、電源供給用またはグランド用のワイヤハーネスが配線基板から伸出する方向と同方向となり、電源供給用またはグランド用のワイヤハーネスに流れる高周波電流が、受信信号を増大する方向に作用するように配置したことを特徴とする電波受信機。
【請求項３】
受信回路が形成された配線基板に、電波を受けて受信信号を受信回路に出力する、信号側およびグランド側のエレメントにて構成されるダイポール型のアンテナと、受信回路への電源供給用またはグランド用のワイヤハーネスとが接続された電波受信機において、
前記アンテナのエレメントの基端部を、配線基板の略全面に形成されて受信回路の接地用のグランドパターンの外周部に配置し、
前記アンテナの信号側のエレメントを、配線基板上のグランドパターンが形成された領域とは反対の方向に向けて配線基板から伸出せしめ、グランドパターンに流れる高周波電流が、受信信号を増大する方向に作用するようにしたことを特徴とする電波受信機。
【請求項４】
受信回路が形成された配線基板に、電波を受けて受信信号を受信回路に出力する、信号側およびグランド側のエレメントにて構成されるダイポール型のアンテナと、受信回路への電源供給用またはグランド用のワイヤハーネスとが接続された電波受信機において、
前記アンテナのエレメントの基端部を、配線基板の略全面に形成されて受信回路の接地用のグランドパターンの外周部に配置し、
前記アンテナのグランド側のエレメントを、配線基板上のグランドパターンが形成された領域に向けて配線基板から伸出せしめ、グランドパターンに流れる高周波電流が、受信信号を増大する方向に作用するようにしたことを特徴とする電波受信機。
【発明の詳細な説明】
【０００１】
【発明の属する技術分野】
本発明はキーレスエントリー受信機等の電波受信機に関する。
【０００２】
【従来の技術】
今日の自動車は、カーオーディオのラジオ等の他にも電波受信機が搭載されるようになってきており、代表的なものとして、キーレスエントリーシステムに用いられるものがある。キーレスエントリーシステムは車両のドア開閉等の制御用のシステムで、車両側に搭載されたキーレスエントリー受信機と、運転者が所持するキー等に内蔵されたキーレスエントリー送信機とからなる。運転者の操作によって、キーレスエントリー送信機から、送信機個々に割り振られたＩＤコードや操作指令コードを変調信号とする送信信号を送信し、キーレスエントリー受信機は送信信号を受信すると、これを復調してＩＤコードが自身と対になる送信機からのものか否かを判定し、肯定判断すると、操作指令コードに対応した制御信号を車両各部の制御ＥＣＵに出力して、ドアの開閉やエンジン始動等を行う。かかるキーレスエントリーシステムとして、３００ＭＨz 帯の微弱な電波を使用するものが主流である。
【０００３】
かかるキーレスエントリー受信機に用いられる車載の電波受信機は、受信回路が形成された配線基板に、電波を受けて受信信号を受信回路に出力するアンテナを接続して一体化したものが一般的である。このものでは、アンテナと受信回路とを接続する給電線を配線する必要がないから、配線は、電源の供給等のためのワイヤハーネスを配線基板に接続するだけでよく、組付け等の点で望ましい。
【０００４】
【発明が解決しようとする課題】
ところで、電波受信機には、十分な受信性能、キーレスエントリー受信機であれば、キーレスエントリーシステムが車外の運転者によるキーレスエントリー送信機の操作で確実に作動するように、確実にＩＤコードや操作指令コードを復調し得る受信性能が要求されるところ、車載の電波受信機は金属製車体による電磁遮蔽の影響を受けやすい。また、許容される送信出力も微弱である。このため、受信環境に配慮して、車室内等、なるべく金属製車体の影響を受けない場所に設置することになる。インストゥルパネルに組み込まれたメータ装置に内蔵するなど、設置場所に工夫をしたものもある。
【０００５】
しかしながら、電波受信機の受信環境を優先すると、次の問題がある。車載の電装機器は通常、ボデーをグランドとしてあり、受信回路のグランドを低インピーダンスでボデーグランドとするには、電波受信機はボデーにボルト等で固定するのが理想的である。受信環境を優先すれば、電波受信機をボデーから離れた場所に設置するよりなく、アンテナ特性が電波受信機とボデーとを結ぶワイヤハーネスのグランドワイヤの影響を受ける。また、グランドワイヤの他、ワイヤハーネスの、受信回路への他の通電用のワイヤ、例えば、電源供給用のワイヤも受信回路においてバイパスコンデンサにより高周波回路上、受信回路のグランドに接地されるから、ワイヤハーネスの影響を強く受けることになる。これにより、ワイヤハーネスのレイアウトによって指向性が変化して送信機からの電波の受信が困難になる不感領域（ディップ点）が拡大したり、アンテナのリアクタンスの増大によりアンテナ利得が減少するおそれがある。
【０００６】
また、アンテナと受信回路との間にバランを介設して、ワイヤハーネスに流れる不平衡電流を回避することも考えられるが、構成が複雑化する。
【０００７】
このように、電波受信機を車載とすると、微弱な電波を用いるキーレスエントリーシステム等においては十分な受信性能を発揮することができないおそれがあり、必ずしも実用的とはいえなかった。
【０００８】
本発明は前記実情に鑑みなされたもので、受信性能が十分で実用的な電波受信機を提供することを目的とする。
【０００９】
【課題を解決するための手段】
請求項１記載の発明では、受信回路が形成された配線基板に、電波を受けて受信信号を受信回路に出力する、信号側およびグランド側のエレメントにて構成されるダイポール型のアンテナと、受信回路への電源供給用またはグランド用のワイヤハーネスとが接続された電波受信機において、
前記アンテナを、信号側のエレメントが配線基板から伸出する方向が、電源供給用またはグランド用のワイヤハーネスが配線基板から伸出する方向と逆方向とななり、電源供給用またはグランド用のワイヤハーネスに流れる高周波電流が、受信信号を増大する方向に作用するように配置する。
【００１０】
受信電波により、信号側のエレメントとワイヤハーネスとにそれぞれ高周波電流が流れる。この高周波電流が受信回路の入力部に流れ、受信信号となる。ワイヤハーネスの電波受信機側の線端部は、受信回路において、高周波回路上、直接またはバイパスコンデンサ等により接地されており、前記受信電波によるワイヤハーネスからの高周波電流は受信回路のグランド側の入力部に流れ込む。信号側のエレメントが配線基板から伸出する方向と、ワイヤハーネスが配線基板から伸出する方向とを逆方向としたので、信号側のエレメントから受信回路の信号側の入力部に流れ込む高周波電流と、ワイヤハーネスから受信回路のグランド側の入力部に流れ込む高周波電流とは逆相であり、ワイヤハーネスに流れる高周波電流が、受信信号を増大する方向に作用する。これにより、アンテナ利得が向上し、電波受信機から離れたワイヤハーネスの線路部分の影響を相対的に低減することができる。
【００１１】
請求項２記載の発明では、受信回路が形成された配線基板に、電波を受けて受信信号を受信回路に出力する、信号側およびグランド側のエレメントにて構成されるダイポール型のアンテナと、受信回路への電源供給用またはグランド用のワイヤハーネスとが接続された電波受信機において、
前記アンテナを、グランド側のエレメントが配線基板から伸出する方向が、電源供給用またはグランド用のワイヤハーネスが配線基板から伸出する方向と同方向となり、電源供給用またはグランド用のワイヤハーネスに流れる高周波電流が、受信信号を増大する方向に作用するように配置する。
【００１２】
受信電波により、グランド側のエレメントとワイヤハーネスとにそれぞれ高周波電流が流れる。この高周波電流が受信回路の入力部に流れ、受信信号となる。
ワイヤハーネスの電波受信機側の線端部は、受信回路において、高周波回路上、直接またはバイパスコンデンサ等により接地されており、前記受信電波によるワイヤハーネスからの高周波電流は、アンテナのグランド側のエレメントとともに受信回路のグランド側の入力部に流れ込む。グランド側のエレメントが配線基板から伸出する方向と、ワイヤハーネスが配線基板から伸出する方向とを同方向としたので、グランド側のエレメントに流れる高周波電流と、ワイヤハーネスに流れる高周波電流とは同相で受信回路のグランド側の入力部に流れ込み、ワイヤハーネスに流れる高周波電流が、受信信号を増大する方向に作用する。これにより、アンテナ利得が向上し、電波受信機から離れたワイヤハーネスの線路部分の影響を相対的に低減することができる。
【００１３】
請求項３記載の発明では、受信回路が形成された配線基板に、電波を受けて受信信号を受信回路に出力する、信号側およびグランド側のエレメントにて構成されるダイポール型のアンテナと、受信回路への電源供給用またはグランド用のワイヤハーネスとが接続された電波受信機において、
前記アンテナのエレメントの基端部を、配線基板の略全面に形成されて受信回路の接地用のグランドパターンの外周部に配置し、
前記アンテナの信号側のエレメントを、配線基板上のグランドパターンが形成された領域とは反対の方向に向けて配線基板から伸出せしめ、グランドパターンに流れる高周波電流が、受信信号を増大する方向に作用するようにしている。
【００１４】
高周波の電波受信機において、アンテナのエレメントの基端部と、受信信号が入力する受信回路の入力部とは近接して形成される。本発明ではアンテナのエレメントの基端部がグランドパターンの外周部に配置されるので、グランドパターンは、グランドパターンの外周部で、受信回路のグランド側の入力部と導通することになる。したがって、グランドパターンがアンテナのグランド側のエンレメントと同等に機能し、受信電波により、信号側のエレメントとともにグランドパターンに高周波電流が流れる。そして、信号側のエレメントが、グランドパターンが形成された領域とは反対方向に配線基板から伸出しているので、信号側のエレメントから基端部を経て受信回路の信号側の入力部に流れ込む高周波電流と、グランドパターンからその外周部を経て受信回路のグランド側の入力部に流れ込む高周波電流とは逆相であり、グランドパターンに流れる高周波電流が、受信信号を増大する方向に作用する。これにより、アンテナ利得が向上し、電波受信機から離れたワイヤハーネスの線路部分の影響を相対的に低減することができる。
【００１５】
請求項４記載の発明では、受信回路が形成された配線基板に、電波を受けて受信信号を受信回路に出力する、信号側およびグランド側のエレメントにて構成されるダイポール型のアンテナと、受信回路への電源供給用またはグランド用のワイヤハーネスとが接続された電波受信機において、
前記アンテナのエレメントの基端部を、配線基板の略全面に形成されて受信回路の接地用のグランドパターンの外周部に配置し、
前記アンテナのグランド側のエレメントを、配線基板上のグランドパターンが形成された領域に向けて配線基板から伸出せしめ、グランドパターンに流れる高周波電流が、受信信号を増大する方向に作用するようにしている。
【００１６】
高周波の電波受信機において、アンテナのエレメントの基端部と、受信信号が入力する受信回路の入力部とは近接して形成される。本発明ではアンテナのエレメントの基端部がグランドパターンの外周部に配置されるので、グランドパターンは、グランドパターンの外周部で、受信回路のグランド側の入力部と導通することになる。したがって、グランドパターンがアンテナのグランド側のエンレメントと同等に機能し、受信電波により、グランド側のエレメントとともにグランドパターンに高周波電流が流れる。そして、グランド側のエレメントがグランドパターンが形成された領域に向けて配線基板から伸出しているので、グランドパターンの外周部を経て受信回路のグランド側の入力部に流れ込む高周波電流のうち、グランド側のエレメントからの高周波電流と、グランドパターンからの高周波電流とは同相であり、グランドパターンに流れる高周波電流が、受信信号を増大する方向に作用する。これにより、アンテナ利得が向上し、電波受信機から離れたワイヤハーネスの線路部分の影響を相対的に低減することができる。
【００１７】
【発明の実施の形態】
（第１実施形態）
以下、図面にしたがい、本発明の電波受信機について説明する。図１に本発明を適用した電波受信機であるキーレスエントリー受信機の構成を示し、図２に該キーレスエントリー受信機を内蔵した電波受信機内蔵型メータ装置の分解した状態を示す。電波受信機内蔵型メータ装置７は、車室のインストゥルパネル内に嵌め込まれるアッパーハウジング７１、ロアハウジング７２を有し、乗員と対向するアッパーハウジング７１には、車両の走行情報等を表示するスピードメータやタコメータ等のメータ７１１が設けられる。アッパーハウジング７１の背後には、メータ回路基板７３および電波受信機であるキーレスエントリー受信機１が配設される。キーレスエントリー受信機１も１枚の配線基板２を中心に構成され、メータ回路基板７３の隅部に固定されている。
【００１８】
メータ回路基板７３には、メータ７１１を駆動するためのメータ指示用交差コイル７３１等の電子部品が実装され、メータ回路基板７３の上縁部には、キーレスエントリー受信機１の配線基板２と近接する位置に、車内配線用のワイヤハーネス６を配線するためのコネクタ部５１が設けられている。ワイヤハーネス６により、メータ回路基板７３と例えばバッテリやボデー等とが接続される。メータ回路基板７３側のコネクタ部５１の受け口は上方に向けられており、ワイヤハーネス６側が上側から挿し込まれるようになっている。したがって、ワイヤハーネス６はコネクタ部５１から立ち上がり、コネクタ部５１の上方で曲がってロアハウジング７２の背後へと流れるようにレイアウトされている。ワイヤハーネス６は前記メータ指示用交差コイル７３１等の電子部品への電源供給用の電源供給ワイヤ６１、グランドワイヤ６２、その他の制御信号用のワイヤ６３からなる。
【００１９】
キーレスエントリー受信機１の配線基板２の上縁部には、コネクタ部５１と車両前後方向に近接対向する位置に別のコネクタ部５２が設けられ、キーレスエントリー受信機１の受信回路３１（図１）とワイヤハーネス６とを接続する（以下、コネクタ部５１をメータコネクタ５１と、コネクタ部５２を受信機コネクタ５２という）。受信機コネクタ５２も、メータコネクタ５１と同様に、キーレスエントリー受信機１側の受け口が上方に向けられており、ワイヤハーネス６側が上方から挿し込まれるようになっている。
【００２０】
受信機コネクタ５２に到るワイヤハーネス６の線路部分は、ごく短いもので、キーレスエントリー受信機１への電源供給用の電源供給ワイヤ（以下、受信機用電源供給ワイヤという）６１１が電源供給ワイヤ６１と接続され、キーレスエントリー受信機１のグランド用のグランドワイヤ（以下、受信機用グランドワイヤという）６２１がグランドワイヤ６２と接続されている。
【００２１】
キーレスエントリー受信機１の配線基板２にはアンテナ４が接続されて、キーレスエントリー送信機からの電波を受信するようになっており、キーレスエントリー受信機１とキーレスエントリー送信機とで電波方式のキーレスエントリシステムを構成する。図３に示すように、キーレスエントリー送信機８は、公知のキータイプのもので、キープレート８２を保持する把手部８１に本体回路が内蔵されたもので、把手部８１の側縁に設けられた押しボタン８３を運転者が押下することで、送信機個々に割り振られたＩＤコードや操作指令コードを変調信号とする電波Ｒが垂直偏波もしくは水平偏波にて送信される。
【００２２】
キーレスエントリー受信機１は、配線基板２上に受信回路３１が形成されてなる。受信回路３１は、アンテナ４の入力部、同調回路、復調回路等で構成され、運転者の操作によって、キーレスエントリー送信機８から、前記電波を受信すると、これを復調してＩＤコードが自身と対になるキーレスエントリー送信機８からのものか否かを判定する。肯定判断すると、操作指令コードに対応した制御信号を車両各部の制御ＥＣＵに出力して、ドアの開閉やエンジン始動等を行う。
【００２３】
受信回路３１に電源を供給するための前記受信機用電源供給ワイヤ６１１および受信機用グランドワイヤ６２１は前記のごとく配線基板２の上縁部に設けられた受信機コネクタ５２から配線基板２上の配線用のパターン３２，３３と導通している。受信機コネクタ５２が配線基板２の上縁部に設けられるから、受信機用電源供給ワイヤ６１１および受信機用グランドワイヤ６２１は、配線基板２の上縁部から上方に伸出して、電源供給ワイヤ６１およびグランドワイヤ６２のそれぞれと１対１に対応して接続される。
【００２４】
配線用のパターン３２は受信回路３１への電源供給用の配線パターンであり、受信機用電源供給ワイヤ６１１と受信回路３１とを接続する。また、配線用のパターン３３は受信回路３１のグランドパターンであり、配線基板２の略全面に形成されている。電源供給用の配線パターン３２とグランドパターン３３間には、受信回路３１へのノイズ混入対策用にバイパスコンデンサ３４が介設され、電源供給用の配線パターン３２を高周波回路上、グランドパターン３３と導通せしめている。この作用は、キーレスエントリーシステムの使用周波数帯域（例えば前記３００ＭＨｚ帯）のように高い周波数の信号に対して特に顕著である。
【００２５】
受信回路３１にはアンテナ４からの受信信号が整合回路３５を介して入力するようになっている。
【００２６】
アンテナ４はダイポール型のもので、１対のエレメント４１，４２が、配線基板２の縦辺の下端部の近傍位置から上下反対方向に伸びており、信号側のエレメント４１が配線基板２から下方に伸出している。すなわち、信号側のエレメント４１の伸出方向と、受信機用電源供給ワイヤ６１１および受信機用グランドワイヤ６２１の伸出方向とは逆方向である。
【００２７】
一方、信号側のエレメント４１とは逆方向に伸びるグランド側のエレメント４２は配線基板２から上方に伸出しており、グランド側のエレメント４２の伸出方向と、受信機用電源供給ワイヤ６１１および受信機用グランドワイヤ６２１の伸出方向とは同方向である。
【００２８】
整合回路３５はインダクタ３５１およびコンデンサ３５２からなるＬＣ回路であり、アンテナ４の両エレメント４１，４２の基端部４１１，４２１および受信回路３１と近接して配置される。インダクタ３５１は両エレメント４１，４２の基端部４１１，４２１間に接続されており、コンデンサ３５２は信号側エレメント基端部４１１と受信回路３１の信号側の入力部との間に介設されている。また、グランド側エレメント基端部４２１はグランドパターン３３と導通し、受信回路３１のグランド側の入力部に入力している。受信回路３１は、この信号側の入力部とグランド側の入力部との間に発生する電圧を受信信号として前記ＩＤコードや操作指令コードを抽出することになる。
【００２９】
前記キーレスエントリー送信機８から電波が送信されると、アンテナ４の両エレメント４１，４２に送信電波に応じた高周波電流が流れ、整合回路３５を介して受信回路３１の入力部に流れ込む。
【００３０】
一方、受信機用電源供給ワイヤ６１１および受信機用グランドワイヤ６２１にも、前記送信電波に応じた高周波電流が流れる。前記のごとく受信機用電源供給ワイヤ６１１はバイパスコンデンサ３４を介して高周波回路上、グランドパターン３３に接地し、受信機用グランドワイヤ６２１は直接にグランドパターン３３に接地しているから、アンテナ４の実質的なグランド側のエレメントとして機能することになる。以下、受信機用電源供給ワイヤ６１１および受信機用グランドワイヤ６２１を適宜、受信機用ハーネス６１１，６２１という。
【００３１】
ここで、受信機用ハーネス６１１，６２１に流れる高周波電流の向きが、図中、矢印のようなものであったとすると、両エレメント４１，４２にも同じ向きの高周波電流が流れる。前記のごとく、信号側のエレメント４１の伸出方向と、受信機用ハーネス６１１，６２１の伸出方向とは逆方向であるから、信号側のエレメント４１から受信回路３１の信号側の入力部に流れ込む高周波電流と、受信機用ハーネス６１１，６２１から受信回路３１のグランド側の入力部に流れ込む高周波電流とは逆相である。したがって、受信機用ハーネス６１１，６２１に流れる高周波電流は、前記受信信号の増大に寄与する。
【００３２】
また、受信機用ハーネス６１１，６２１に流れる高周波電流は、グランド側のエレメント４２に流れる高周波電流とともに、受信回路３１のグランド側の入力部に流れ込むことになるが、前記のごとく、グランド側のエレメント４２の伸出方向と、受信機用ハーネス６１１，６２１の伸出方向とは同方向であるから、グランド側のエレメント４２から受信回路３１のグランド側の入力部に流れ込む高周波電流と、受信機用ハーネス６１１，６２１から受信回路３１のグランド側の入力部に流れ込む高周波電流とは同相である。したがって、受信機用ハーネス６１１，６２１に流れる高周波電流は、前記受信信号の増大に寄与する。
【００３３】
図４は本キーレスエントリー受信機１と比較するためのキーレスエントリー受信機（以下、比較例という）であり、図中、実質的に同じ部分には同じ番号を付している。比較例は、アンテナ９１の信号側のエレメント９１１の伸出方向が受信機用ハーネス６１１，６２１の伸出方向と同方向であり、グランド側のエレメント９１２の伸出方向が受信機用ハーネス６１１，６２１の伸出方向と逆方向である。この場合には、受信機用ハーネス６１１，６２１に流れる電流がアンテナ９１の両エレメント９１１，９１２に流れる電流を相殺する方向に作用し、アンテナ利得が低下する。
【００３４】
また、ワイヤハーネス６のうち、コネクタ部５１から立ち上がる線路部分についても、受信機用ハーネス６１１，６２１と同様の方向を向いているから、この線路部分についても、アンテナ利得を向上せしめるのに寄与する。
【００３５】
このように、本キーレスエントー受信機１では、バラン等を用いることなく、良好なアンテナ利得を得ることができ、相対的に、キーレスエントー受信機１から離れたワイヤハーネス６の線路部分がアンテナ特性に与える悪影響を低減することができる。
【００３６】
なお、アンテナ４は配線基板２の縦辺の下端部側に偏した位置に配置しているが、信号側のエレメント４１が配線基板２から伸出する方向が、受信機用ハーネス６１１，６２１が配線基板２から伸出する方向と逆方向で、グランド側のエレメント４２が配線基板２から伸出する方向が、受信機用ハーネス６１１，６２１が配線基板２から伸出する方向と同方向となっておればよく、例えば、エレメント４１，４２の向きをこのままに、配線基板２の縦辺の中程や上端部側に偏した位置に配置してもよい。
【００３７】
（第２実施形態）
図５に本発明の第２実施形態になるキーレスエントリー受信機を示す。図中、第１実施形態と実質的に同じ作動をする部分には同じ番号を付して第１実施形態との相違点を中心に説明する。
【００３８】
キーレスエントリー受信機１Ａの配線基板２Ａは、やや上下方向に縦長のもので、この略全面に形成されたグランドパターン３３Ａも同様に上下方向に縦長となっている。
【００３９】
アンテナ４は、第１実施形態と同様のものであり、配線基板２Ａの縦辺の下端部位置にエレメント４１，４２の基端部４１１，４２１が配置され、エレメント４１，４２が上下方向に伸びている。グランド側のエレメント４２は基端部４２１の直近位置、すなわちグランドパターン３３Ａの外周部となる配線基板２Ａの下縁側に偏した位置にてグランドパターン３３Ａと導通している。したがって、グランドパターン３３Ａが、エレメント基端部４１１，４２１の近傍位置から上方に向かって伸出する、帯状の、アンテナ４のグランド側のエレメントとして機能することになる。このエレメントとしてのグランドパターン３３Ａの配線基板２Ａからの伸出方向は、信号側のエレメント４１の伸出方向とは逆方向で、グランド側のエレメント４２の伸出方向とは同方向となる。
【００４０】
キーレスエントリー送信機８からの受信電波により、グランドパターン３３Ａとともに信号側のエレメント４１に高周波電流が流れる。そして、信号側のエレメント４１が、エレメントとしてのグランドパターン３３Ａの伸出方向とは反対方向に伸出しているので、信号側のエレメント４１からその基端部４１１を経て受信回路３１の信号側入力部に流れ込む高周波電流と、グランドパターン３３Ａから、エレメント基端部４１１，４２１の近傍位置を経て受信回路３１のグランド側入力部に流れ込む高周波電流とは逆相であり、グランドパターン３３Ａに流れる高周波電流が、受信信号を増大する方向に作用する。これにより、アンテナ利得が向上する。
【００４１】
また、グランド側のエレメント４２が、エレメントとしてのグランドパターン３３Ａと同方向に伸出しているので、受信回路３１のグランド側入力部に流れ込む高周波電流のうち、グランド側のエレメント４２からの高周波電流と、グランドパターン３３Ａからの高周波電流とは同相であり、グランドパターン３３Ａに流れる高周波電流が、受信信号を増大する方向に作用する。
【００４２】
なお、アンテナのエレメントの伸出方向を図４のごとく逆方向とすると、逆に、アンテナエレメントとしてのグランドパターンが、本来のエレメントに流れる高周波電流を相殺する方向に作用してしまうことになる。
【００４３】
このように、本キーレスエントリー受信機ではアンテナ利得が向上する。
【００４４】
なお、このグランドパターン３３Ａによるアンテナ利得向上作用は第１実施形態でも同様であるが、本実施形態では、アンテナ４のエレメント４１，４２の伸出方向がグランドパターン３３Ａの長手方向と同じであり、グランドパターン３３Ａが、より高いアンテナエレメントとしての機能を発揮するので、望ましい。
【００４５】
また、前記各実施形態では、アンテナ４のエレメント４１，４２の基端部４１１，４２１をグランドパターン３３，３３Ａの所定の外周部に配置することで、グランドパターン３３，３３Ａのアンテナ特性への影響をアンテナ利得を向上する方向に転換しているが、要求される受信性能によっては、エレメント基端部４１１，４２１の位置は任意である。この場合は、受信機用ハーネス６１１，６２１によるアンテナ特性に対する影響のみが改善される。
【００４６】
また、本発明は、キーレスエントリー受信機だけではなく他の電波受信機にも適用することができる。
【図面の簡単な説明】
【図１】本発明を適用したキーレスエントー受信機の構成図である。
【図２】前記キーレスエントー受信機を内蔵したキーレスエントー受信機内蔵型メータ装置の分解斜視図である。
【図３】前記キーレスエントー受信機とキーレスエントリーシステムを構成するキーレスエントー送信機の正面図である。
【図４】前記キーレスエントー受信機と比較するためのキーレスエントー受信機の構成図である。
【図５】本発明を適用した別のキーレスエントー受信機の構成図である。
【符号の説明】
１，１Ａ  キーレスエントリー受信機（電波受信機）
２，２Ａ  配線基板
３１  受信回路
３２  配線用パターン
３３，３３Ａ  グランドパターン
３４  バイパスコンデンサ
３５  整合回路
４  アンテナ
４１  信号側エレメント
４１１  基端部
４２  グランド側エレメント
４２１  基端部
５１，５２  コネクタ部
６  ワイヤハーネス
６１  電源供給ワイヤ
６２  グランドワイヤ
６１１  受信機用電源供給ワイヤ
６２１  受信機用グランドワイヤ
７  電波受信機内蔵型メータ装置
【図１】
0004587599.tif 000002
【図２】
0004587599.tif 000003
【図３】
0004587599.tif 000004
【図４】
0004587599.tif 000005
【図５】
0004587599.tif 000006